(57)【要約】      （修正有）【課題】自然災害などが生じた際の非常時に、家庭用風呂の残り湯から最低限の飲料水を得るため、簡単に自然流下により動力等を使わず、構造が簡素化され、かつ装置全体が軽量化された浄水器（パーソナル浄水場）を提供する。【解決手段】家庭用浴槽に貯められた水を飲料用にするためにろ過する浄水器１は、前記水を精密ろ過するのに先立ってろ過し前記水の混合物を第１次的に除去するための第１次ろ過用の組立体２と、第１次ろ過用の組立体２を経て混合物が第１次的に除去された水を更に精密ろ過するための第２次ろ過用の組立体３を有する。第１次ろ過用の組立体２は、前記水を収容する第１容器と、第１容器に収納された水をろ過して混合物を第１次的に除去する第１ろ過具５とを有し、第２次ろ過用の組立体３は、第１ろ過具５によりろ過された水を収容する第２容器７と、第２容器７に収納された水を精密ろ過して混合物を第２次的に除去する第２ろ過具８とを有する。【選択図】図１
0003229059.tif 000002
【実用新案登録請求の範囲】
【請求項１】
家庭用浴槽に貯められた水を飲料用にするためにろ過する浄水器であって、
前記水を精密ろ過するのに先立ってろ過し前記水の混合物を第１次的に除去するための第１次ろ過用の組立体と、
前記第１次ろ過用の組立体を経て混合物が第１次的に除去された前記水を更に精密ろ過するための第２次ろ過用の組立体とを有し、
前記第１次ろ過用の組立体は、前記水を収容する第１容器と、該第１容器に収納された水をろ過して混合物を第１次的に除去する第１ろ過具とを有し、
前記第１ろ過具は、不織布がロール状に巻かれこのロール状不織布の軸方向を垂直方向に位置させる立体多層膜により構成され、
前記第２次ろ過用の組立体は、前記第１ろ過具によりろ過された前記水を収容する第２容器と、該第２容器に収納された水を精密ろ過して混合物を第２次的に除去する第２ろ過具とを有し、
前記第２ろ過具は活性炭と中空糸膜を有し、
前記水が前記第１次ろ過具と前記第２次ろ過具を自然流下して動力が用いられることなくろ過される
ことを特徴とする、家庭用浴槽に貯められた水をろ過する浄水器。
【請求項２】
前記不織布がレーヨン系不織布である前記第１ろ過具を構成する請求項１に記載の浄水器。
【請求項３】
前記レーヨン系不織布はレーヨンとＰＥＴの混合割合が１：１のエンボス加工した不織布である請求項２に記載の浄水器。
【請求項４】
フックを有するひも状部材から構成される吊り具を有し、前記第１容器及び前記第２容器が袋体であり、これらの袋体を前記フックに取り付けるように構成された請求項１〜３のいずれか一項に記載の浄水器。
【請求項５】
前記第１ろ過具による前記水のろ過速度が毎分約０．５リットルである請求項１〜４のいずれか一項に記載の浄水器。
【請求項６】
前記第２ろ過具による前記水のろ過速度が毎分０．１リットル以上である請求項１〜５のいずれか一項に記載の浄水器。
【請求項７】
前記第２次ろ過用の組立体を経てろ過された水を貯める貯水容器を有し、前記第１ろ過具の少なくとも一部が前記第２容器内に位置し、前記第２ろ過具の少なくとも一部が貯水容器内に位置する請求項１〜６のいずれか一項に記載の浄水器。
【考案の詳細な説明】
【技術分野】
【０００１】
本考案は、浴槽に貯められた水をろ過する浄水器に関するものであり、特に、電気、水道など、ライフラインが機能不全になった非常時に数週間程度、飲み水を自宅で、簡単に自然流下により動力等を使わずに確保するための浄水器（パーソナル浄水場）である。
【背景技術】
【０００２】
現在、日本国内ではほとんどの地域で水道が普及し、ペットボトル等の飲料水の市販も一般化している。しかし、災害時などにライフラインが寸断されると、水道の使用や市販の飲料水の購入ができなくなり、飲料水の供給が途絶される事態が想定される。例えば阪神淡路大震災や東日本大震災において、実際に水の供給が断たれ、水不足が重大かつ切実な問題となった。近年、多くの自然災害が発生しているほか、新たに大きな地震が発生することなども予想されており、非常時における水不足が危機的な状況を招く事態が多々考えられる。特に、飲み水の不足は生命維持に直接かかわるため、現在、非常時の飲料水を確保するための手段を予め講じておく必要性が急激に高まっている。
【０００３】
身近にある水を利用する手段として、従来から雨水タンクを設け、これに溜まった水を利用することが行われている。雨水タンクの水質は比較的良好なものが多いが、タンクはある程度の広さの設置場所を要するとともに、設置費用もある程度かかるため、一般家庭での設置には限りがある。
【０００４】
非常時の飲料水を確保するための手段として、ポリタンクなどの容器に、予め水を貯めておく方法も考えられる。しかし、この場合、中の水を定期的に取り換えることになるが、一定量の水を頻繁に取り換えることは必ずしも現実的ではないし、特に高齢者のみの家庭ではこのような取り換え作業は容易に行えるものでもない。
【０００５】
このような状況において、ほとんどの家庭において既に普及しており、ある程度の量の水が貯められるものとして、風呂の浴槽を挙げることができる。浴槽には水や湯が貯められている可能性が少なくなく、突然非常事態が生じたときでも、貯水されている可能性を見込むことができる。
【０００６】
もっとも、残り湯には、入浴により異物が混在せざるを得ず、これをそのまま飲料水とすることはできない。
【０００７】
使用した水を浄化して再利用するための施設（公共施設）として浄水場が存在する。浄水場は水道施設であり、凝集沈殿、前ろ過、本ろ過、消毒、貯水といった過程（機能）を経て、パイプラインで残留塩素を保持させながら各戸に配水するシステムである。
【０００８】
上記のような浄水システムを一般家庭でそのまま再現することは困難である。しかし、日本の家庭用風呂においては、通常、水道水が使用されており、日本の水道水は良質で飲料水として使用できる。すなわち、浴槽に貯められた水や湯は、入浴前は飲料水の水質だったものである。
【０００９】
しかも、家庭用風呂の入浴者は不特定人や多数人でなく、健康状態も相互に把握できる特定少人数である。
【００１０】
したがって、一般の浄水システムの機能のうち、家庭用風呂の残り湯を浄水するために必要かつ可能な機能を用いることによって、残り湯から上記混入物を取り除けば、非常時に生命を維持するために飲むような水は得られると考えられる。
【００１１】
更に、浄水の構造が簡素化され、装置全体が軽量化されて、例えば非力な高齢者などでも残り湯を浄水して飲み水を容易に得ることができれば、自然災害などが生じた際の非常時の水不足対策として極めて有用である。
【考案の概要】
【考案が解決しようとする課題】
【００１２】
本考案は以上の問題に鑑みてなされたものであり、自然災害などが生じた際の非常時に、家庭用風呂の残り湯から最低限の飲料水を得るため、構造が簡素化され、かつ装置全体が軽量化された浄水器を提供することを課題とする。
【課題を解決するための手段】
【００１３】
上記課題を解決するため、本考案は、非常時において家庭でも水や湯が貯められている可能性を見込める残り湯につき、動力を用いることなく、自然流下により複数回ろ過を行うことにより、飲み水を得ようとするものである。すなわち、第１の側面として、本考案は、
家庭用浴槽に貯められた水を飲料用にするためにろ過する浄水器であって、
前記水を精密ろ過するのに先立ってろ過し前記水の混合物を第１次的に除去するための第１次ろ過用の組立体と、
前記第１次ろ過用の組立体を経て混合物が第１次的に除去された前記水を更に精密ろ過するための第２次ろ過用の組立体とを有し、
前記第１次ろ過用の組立体は、前記水を収容する第１容器と、該第１容器に収納された水をろ過して混合物を第１次的に除去する第１ろ過具とを有し、
前記第１ろ過具は、不織布がロール状に巻かれこのロール状不織布の軸方向を垂直方向に位置させる立体多層膜により構成され、
前記第２次ろ過用の組立体は、前記第１ろ過具によりろ過された前記水を収容する第２容器と、該第２容器に収納された水を精密ろ過して混合物を第２次的に除去する第２ろ過具とを有し、
前記第２ろ過具は活性炭と中空糸膜を有し、
前記水が前記第１次ろ過具と前記第２次ろ過具を自然流下して動力が用いられることなくろ過される
ことを特徴とする、家庭用浴槽に貯められた水をろ過する浄水器
を提供する。
【００１４】
第２の側面として、本考案は、
前記不織布がレーヨン系不織布である前記第１ろ過具を構成する上述の浄水器
を提供する。
【００１５】
第３の側面として、本考案は、
前記レーヨン系不織布はレーヨンとＰＥＴの混合割合が１：１のエンボス加工した不織布である請求項２に記載の浄水器
を提供する。
【００１６】
第４の側面として、本考案は、
フックを有するひも状部材から構成される吊り具を有し、前記第１容器及び前記第２容器が袋体であり、これらの袋体を前記フックに取り付けるように構成された上述の浄水器
を提供する。
【００１７】
第５の側面として、本考案は、
前記第１ろ過具による前記水のろ過速度が毎分約０．５リットルである上述の浄水器
を提供する。
【００１８】
第６の側面として、本考案は、
前記第２ろ過具による前記水のろ過速度が毎分０．１リットル以上である上述の浄水器
を提供する。
【００１９】
第７の側面として、本考案は、
前記第２次ろ過用の組立体を経てろ過された水を貯める貯水容器を有し、前記第１ろ過具の少なくとも一部が前記第２容器内に位置し、前記第２ろ過具の少なくとも一部が貯水容器内に位置する上述の浄水器
を提供する。
【考案の効果】
【００２０】
本考案によれば、自然災害などが生じた際の非常時であっても、多くの家庭にすでに設置されている家庭用風呂の浴槽に貯められた水や湯から、飲料水を得ることができる。
【００２１】
また、本考案によれば、浄水の構造が簡素化され、装置全体が軽量化されるため、例えば非力な高齢者などでも残り湯を浄水して容易に飲み水を得ることが可能となる。
【図面の簡単な説明】
【００２２】
【図１】本考案の一実施例を示す図である。
【図２】本考案の一実施例を示す図である。
【図３】本考案の一実施例を示す図である。
【図４】本考案の一実施例を示す図である。
【図５】本考案の一実施例を示す図である。
【図６】本考案の一実施例を示す図である。
【図７】本考案の他の実施例を示す図である。
【考案を実施するための形態】
【００２３】
以下、本考案の浄水器を図面に基づいて具体的に説明する。
【００２４】
本明細書記載の実施例は一例に過ぎず、本考案はこれらのみに限定されるものではない。
【００２５】
（実施例１）
図１に、本考案に係る浄水器の一例を示す。この浄水器（１）は、第１次ろ過用の組立体（２）と、第２次ろ過用の組立体（３）を有する。
【００２６】
第１次ろ過用の組立体は、家庭用浴槽に貯められた水を第１次的にろ過するものであり（以下、この第１次的なろ過を「プレろ過」ともいう。）、後述の精密ろ過に先立って、前記の水に混入した混合物を大まかに取り除くための用具である。図２に第１次ろ過用の組立体の一例を示す。この第１次ろ過用の組立体（２）は、前記水を収容する第１容器（４）と、該第１容器に収納された水をろ過して混合物を第１次的に除去する第１ろ過具（５）とを有する。
【００２７】
本実施例においては、上記の図に示されるように、第１容器（４）を袋体としている。第１容器は袋体に限られるものではないが、袋体であれば、保管時に収納スペースを取らない点で有利である。袋体は、一例として、厚さ約０．０８ｍｍのＬＤＰＥ（低密度ポリエチレン）製とすることができる。本実施例においては、容量が５リットル程度のものを使用している。
【００２８】
第１ろ過具（５）はレーヨン系不織布から構成される。本実施例においては、レーヨンとＰＥＴの混合割合が１：１のエンボス加工した不織布（５０ｇ／ｍ２）を用いる。図３に示されるように、このレーヨン系不織布を幅３３ｃｍ×８５ｃｍのものを四つ折りにして巻き、直径約４５ｍｍ、高さ約８ｃｍのロール状（筒状）を形成する。市販のものはハンカチ状（１枚３３ｃｍ×３４ｃｍ）になっているので、２枚半使用する。
【００２９】
第１ろ過具を第１容器に取り付ける。本実施例においては、上記袋体（第１容器）（４）の底部に孔を設け、この孔に、ロール状を形成するレーヨン系不織布（第１ろ過具）を保持するための筒状のホルダ（６）を取り付け、このホルダの中にレーヨン系不織布を挿入してこれを袋体に取り付けるものとしている。これにより、ロール状に巻かれたレーヨン系不織布の軸方向が垂直方向（図１や図３において上下の方向）に位置することとなる。レーヨン系不織布をこのように構成することで、水が通過する膜層が重なって厚くなり、より効果的にろ過することが可能となる（立体多層膜による沈殿とろ過の同時処理を行うことができる）。なお、第１ろ過具は使用により目詰まりしても、詰まった汚れを水で洗い流すことにより、再使用できる。
【００３０】
なお、ホルダの材質は適宜選択でき、例えばプラスチック製とすることができる。本実施例においては、内径約４４ｍｍ、外形約４８ｍｍ、長さ約２５ｍｍの硬質塩化ビニル管を用いている。
【００３１】
上記の第１ろ過用の組立体において、例えばろ過速度を０.５リットル／分程度となるようレーヨン系不織布の巻き締め方を調整する。後述の第２次ろ過用の組立体における中空糸膜の水頭が高くなり、第２次ろ過効率が良くなる速度である。
【００３２】
なお、第１ろ過具は他の不織布から構成されることもできる。一例として、厚さ約１ｍｍのポリエステル及び厚さ約２ｍｍのポリスチレン平板ウールが重ねられたエアフィルタ用不織布を巻き、直径約５０ｍｍ、高さ約１０ｃｍのロール状（筒状）とすることもできる。
【００３３】
第２次ろ過用の組立体は、プレろ過された水を更に、すなわち第２次的にろ過するものであり（以下、この第２次的なろ過を「本ろ過」ともいう。）、これにより前記の水が精密ろ過される。図４に第２次ろ過用の組立体の一例を示す。この第２次ろ過用の組立体（３）は、前記第１ろ過具によりろ過された前記水を収容する第２容器（７）と、該第２容器に収納された水を精密ろ過して混合物を第２次的に除去する第２ろ過具（８）とを有する。
【００３４】
本実施例においては、上記の図に示されるように、第２容器（７）を袋体としている。第２容器は袋体に限られるものではないが、袋体であれば、保管時に収納スペースを取らない点で有利である。第２容器としての袋体も、第１容器として使用する上述の袋体と同様である。
【００３５】
第２ろ過具は、活性炭と中空糸膜とこれらを収納する容器とを有する。活性炭の種類、量、形状や、中空糸膜の原材料、量、形状、容器の大きさ、形状、原材料は適宜決することができる。図５に第２ろ過具の一例を示す。本実施例においては、ＡＢＳ樹脂から成る円柱状の容器（２２）（直径約５０ｍｍ、高さ約１４ｃｍ）の上側（９）に粒状の活性炭（２３）を４２ｇ配し、この容器の下側（１０）にポリエチレン製、ＭＦ膜の中空糸膜（２４）を４ｇ配し、第２ろ過具（８）を構成している。図６（Ａ）に第２ろ過具（８）の断面図を示す。また、図６（Ｃ）にこの拡大模式図を示す。図中の矢印は水の流れを示している。
【００３６】
容器の上側（９）は複数の開口部（２０）を有する。この開口部から容器の内部に水が流入し、活性炭、中空糸膜を経てろ過される。図５では６個の四角形の孔が示されているが、穴の形状、大きさ、個数は適宜決せられる。この開口部には、水が流入しつつ活性炭が流出しないように、網状の部材が設けられると好適である。
【００３７】
容器の底面に、ろ過された水が流出するための孔を設ける。図６（Ｂ）に孔（２１）の一例を示した第２ろ過具（８）の底面図を示す。孔の形状、大きさ、個数は適宜決せられる。
【００３８】
第２ろ過具を第２容器に取り付ける。本実施例においては、上記袋体（第２容器）（７）の底部に孔を設け、この孔に、第２ろ過具（８）を保持するためのステンレス製のホースバンド（１１）（約５５ｍｍ）を取り付け、これに第２ろ過具を（遮水性を持たせつつ）取り付けるものとしている。
【００３９】
上記の第２ろ過用の組立体（３）において、第２ろ過具（８）は、例えばろ過速度が０．１リットル／分程度となる。
【００４０】
上述のようにして組み立てた第１次ろ過用の組立体と第２次ろ過用の組立体により、浄水器を構成する。本実施例においては、図１に示されるように、支持体（１２）に第１次ろ過用の組立体（２）と第２次ろ過用の組立体（３）を取り付け、更に、ろ過された水を貯めるための貯水容器（１３）を第２次ろ過用の組立体（３）の下方に取り付け、各袋体を梯子状に配置する。このように配置するために、本実施例においては、吊り具（１５）を用いている。吊り具（１５）は、ひも状の部材にフック（１６）が設けられている。かかる吊り具（１５）を、後述のクリップ（１４）に掛けて吊るし、フック（１６）に各袋体を取り付ける（引っ掛ける）ことにより、第１次ろ過用の組立体（２）と第２次ろ過用の組立体（３）がセットされる。
【００４１】
ここで、第１次ろ過用の組立体のレーヨン系不織布（第１ろ過具）（５）の少なくとも一部が、第２次ろ過用の組立体（３）の袋体（第２容器）（７）の中に位置するように配されると、第１ろ過具によりろ過された水が第２容器に確実に送られるので好適である。同様に、第２次ろ過用の組立体の第２ろ過具（８）の少なくとも一部が、貯水容器（１３）の中に位置するように配されると、第２ろ過具によりろ過された水が貯水容器に確実に溜まるので好適である。
【００４２】
支持体は、既存のテーブルなどを利用することができる。これによると、例えば、上記のように各袋体から構成される浄水器を、テーブルの縁に取り付けることができるため、支持体としての一つのテーブルに複数の浄水器を取り付けることが可能となる。本実施例においては、浄水器の支持体への取り付けにクリップ（１４）を用いている。かかる構成によれば、一度に複数の浄水器を稼働させることにより多くの水をろ過して浄水することが可能である。
【００４３】
貯水容器は、第１容器や第２容器として用いている袋体と同程度のサイズ、厚さの袋体としてもよい。満水になった際は、新しい貯水容器（１３）に取り替えて、浄水処理を継続できる。元の貯水容器は手持ち部分で縛り、こぼれないように保管する。
【００４４】
各袋体は、フックに引っ掛けるための被支持部分を有すると好適である。本実施例においては、図１に示されるとおり、いわゆるレジ袋の持ち手部分のような被支持部分が設けられている。これによれば、袋体を吊り具（１５）（のフック）にセットしやすく（フック（１６）に引っ掛けられている部分が被支持部分である）、袋体の持ち手状部分を平行に引っかけることにより、各袋体を容易に梯子状に構成できるものとなる。また、ろ過前の水を第１容器に給水する際に、袋の注ぎ口部分を舌状にカットし、それを手前に引いて注げば水をこぼさずに入れることができる。
【００４５】
（実施例２）
第１容器、第２容器、貯水容器は、そのすべてを実施例１のように袋体とすることもできるし、いずれかを袋体とし、他を水槽やカップなどとすることもできる。一例として、図７に第１容器（１７）と第２容器（１８）と貯水容器（１９）をスチロールカップとした例を示す。この場合は、実施例１の袋体で用いた支持体（１２）、クリップ（１４）、吊り具（１５）は不要である。
【００４６】
本考案においては、第１容器、第２容器、貯水容器は、非常時には身近に存する用具、例えば持ち手付きポリエチレン袋や食品保存用容器などで代用することが可能である。すなわち、非常時に多くの飲料水を必要とする場合に、手元にあるものを容器とすることで、より多くの飲料水を確保することができる。
【００４７】
［実験結果］
実施例１に記載の浄水器で袋体を用いたもの、第１容器と第２容器と貯水容器を実施例２のスチロールカップとしたもの（その他の点は実施例１と同じ）、をそれぞれ用い、前日４人が入浴した風呂の残り水を、２リットル、５リットル、１０リットルろ過し、水質検査を行った（検査機関：株式会社山梨県環境科学検査センター）。この検査結果は表１のとおりであった。
【００４８】
【表１】
0003229059.tif 000003
*スチロールカップ式も、袋の浄水場と同じ風呂の残り水を使用。
【００４９】
風呂の残り水中の一般細菌、大腸菌は、第１及び第２ろ過具により完全に取り除くことができた。化学的な検査項目のうち、濁度についても完全に０度（検査結果：０．１ｍｇ／Ｌ未満）になった。水に溶ける塩化物イオンなどはろ過できない。また有機物（全有機炭素（ＴＯＣ）の量）については、水に溶けない分の汚れが取り除かれ、約７０％に減少していた。臭気は元の風呂水、ろ過水ともに異常なしであった。
【００５０】
また、プレろ過につき、厚さ約１ｍｍのポリエステル及び厚さ約２ｍｍのポリスチレン平板ウールが重ねられたエアフィルタ用不織布を巻き、直径約５０ｍｍ、高さ約１０ｃｍのロール状（筒状）とし、袋体を用いた浄水器を用いて行った水質検査の結果を表２に示す。検査用の検体は、プレろ過は捨て水直後からの分、本ろ過は５０Ｌ後及び１００Ｌ後の分を各々検体とした。ろ過速度は１Ｌあたり２．５分〜３分程度で、一貫してほぼ一定であった。
【００５１】
【表２】
0003229059.tif 000004
*プレろ過にはエアフィルタ用不織布とポリスチレン平板ウールを重ねたものを使用。
**その後200Lまでろ過し、性能を確認している。
【産業上の利用可能性】
【００５２】
本考案によれば、例えば災害時にライフラインが寸断され、水道の使用や市販の飲料水の購入ができなくなり、飲料水の供給が途絶される事態が生じた場合の浄水用具を、簡易な構造で実現することができる。したがって、緊急時の対処用具、特に飲料用の水を得るための装置につき、いわばパーソナル浄水場化装置として大量に生産し提供することが可能となる。
【００５３】
また、多くの一般家庭において使用可能であり、しかも高齢者等でも容易に取り扱うことが可能であるため、広い範囲での需要が見込まれる。
【００５４】
従って、本考案の産業上の利用可能性は極めて高い。
【符号の説明】
【００５５】
１  浄水器
２  第１次ろ過用の組立体
３  第２次ろ過用の組立体
４、１７  第１容器
５  第１ろ過具
６  ホルダ
７、１８  第２容器
８  第２ろ過具
９  第２ろ過具を構成する容器の上側
１０  第２ろ過具を構成する容器の下側
１１  ホースバンド
１２  支持体
１３、１９  貯水容器
１４  クリップ
１５  吊り具
１６  フック
２０  開口部
２１  孔
２２  容器
２３  活性炭
２４  中空糸膜
【図１】
0003229059.tif 000005
【図２】
0003229059.tif 000006
【図３】
0003229059.tif 000007
【図４】
0003229059.tif 000008
【図５】
0003229059.tif 000009
【図６】
0003229059.tif 000010
【図７】
0003229059.tif 000011